【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
運搬用パッケージを組み立てる方法であって、
ブランクを設けるステップと、
前記ブランクから実質的に管状の形態を形成するステップとを含み、前記実質的に管状の形態は第１の高さおよび第１の幅を有し、当該方法は、
前記実質的に管状の形態に容器を装荷するステップを含み、前記実質的に管状の形態に前記容器を装荷するステップにより、前記実質的に管状の形態の前記第１の高さは第２の高さまで縮小し、前記第１の幅は第２の幅に拡大する、運搬用パッケージを組み立てる方法。
【請求項２】
前記実質的に管状の形態の第１の端を少なくとも部分的に閉口するステップと、
前記実質的に管状の形態の第２の端を少なくとも部分的に閉口するステップと、
をさらに含む、請求項１に記載の方法。
【請求項３】
前記実質的に管状の形態の第１のサイドパネルが、第１の上部部分を含み、前記容器を装荷するステップにより、前記第１の上部部分は、前記第１のサイドパネルの残余部を有する平面から移動する、請求項１に記載の方法。
【請求項４】
前記第１のサイドパネルは、第１の下部部分を含み、前記容器を装荷するステップにより、前記第１の下部部分は、前記第１のサイドパネルの残余部を有する平面から移動する、請求項３に記載の方法。
【請求項５】
前記第２の幅は、前記第１の幅よりも少なくとも３％広い、請求項３に記載の方法。
【請求項６】
前記容器は略円筒形であり、前記容器の上部部分は前記容器の上部に向かい直径が縮小する、請求項１に記載の方法。
【請求項７】
運搬用パッケージを組み立てる方法であって、
ブランクを設けるステップを含み、該ブランクは、ボトムパネルと、トップパネルと、
第１の上部部分および第１の下部部分を有する第１のサイドパネルと、第２のサイドパネルと、を含み、当該方法は、
前記ブランクから実質的に管状の形態を形成するステップと、
前記実質的に管状の形態に容器を装荷するステップと、を含み、前記実質的に管状の形態に前記容器を装荷するステップにより、前記第１の上部部分および前記第１の下部部分は、前記第１のサイドパネルの中間部位を有する平面から移動する、運搬用パッケージを組み立てる方法。
【請求項８】
前記第１の上部部分は、一部分が前記第１のサイドパネルの破壊線によって画定される、請求項７に記載の方法。
【請求項９】
前記実質的に管状の形態の第１の端を少なくとも部分的に閉口するステップと、
前記実質的に管状の形態の第２の端を少なくとも部分的に閉口するステップと、
をさらに含む、請求項８に記載の方法。
【請求項１０】
前記容器は略円筒形であり、前記容器の上部部分は前記容器の上部に向かい直径が縮小する、請求項７に記載の方法。
【請求項１１】
ボトムパネルと、
トップパネルと、
第１のサイドパネルと、
第２のサイドパネルと、
少なくとも部分的に開口する第１の端部と、
少なくとも部分的に開口する第２の端部と、
ｎ×ｍの配列を有する複数の容器と、を含み、各容器は、特有の幅寸を有し、
ｎおよびｍは、正整数であり、
前記トップパネルは、前記運搬用パッケージの前記第１の端部を横断する寸法の幅を有し、
前記トップパネルの幅は、前記容器の特有の幅寸のｎ倍より狭く、
前記ボトムパネルは、前記運搬用パッケージの前記第１の端部を横断する寸法の幅を有し、前記ボトムパネルの前記幅は、前記容器の特有の幅寸のｎ倍より狭い、
運搬用パッケージ。
【請求項１２】
前記第１のサイドパネルは、前記第１のサイドパネルの残余部を有する平面の外に位置する第１の上部部分を含み、前記第１の上部部分は、前記トップパネルに向かって内方向に傾斜し、前記第１のサイドパネルは、前記ボトムパネルに向かって内方向に傾斜する第１の下部部分をさらに含む請求項１１に記載の運搬用パッケージ。
【請求項１３】
前記運搬用パッケージの前記第１の端部は、第１のボトム終端フラップにより少なくとも部分的に閉口する、請求項１１に記載の運搬用パッケージ。
【請求項１４】
前記第１のサイドパネルに折り曲げ可能に接合する第１のウェブ部、および前記第２のサイドパネルに折り曲げ可能に接合する第２のウェブ部により、前記運搬用パッケージの前記第１の端部は少なくとも部分的に閉口する、請求項１３に記載の運搬用パッケージ。
【請求項１５】
前記第１のウェブ部は、
前記第１のサイドパネルに折り曲げ可能に接合する第１の近位ウェブパネルと、
前記第１の近位ウェブパネルに折り曲げ可能に接合する第１の遠位ウェブパネルと、を含み、前記第１の遠位ウェブパネルは前記第１のボトム終端フラップに接着される、請求項１４に記載の運搬用パッケージ。
【請求項１６】
前記容器は略円筒形であり、前記容器の上部部分は、前記容器の上部に向かい直径が縮小する、請求項１１に記載の運搬用パッケージ。
【請求項１７】
ボトムパネルと、
トップパネルと、
第１のサイドパネルであって、前記第１のサイドパネルの残余部を有する平面の外に位置する第１の上部部分を含む、第１のサイドパネルと、
第２のサイドパネルと、
少なくとも部分的に開口する第１の端部と、
少なくとも部分的に開口する第２の端部と、
ｎ×ｍの配列を有する複数の容器と、を含み、各容器は、特有の幅寸を有し、
ｎおよびｍは、正整数である、運搬用パッケージ。
【請求項１８】
前記第１の上部部分は、前記トップパネルに向かって内方向に傾斜する、請求項１７に記載の運搬用パッケージ。
【請求項１９】
前記第１のサイドパネルは、前記第１のサイドパネルの残余部を有する平面の外に位置する第１の下部部分をさらに含む、請求項１８に記載の運搬用パッケージ。
【請求項２０】
前記トップパネルは、前記運搬用パッケージの前記第１の端部を横断する寸法の幅を有し、前記トップパネルの前記幅は、前記容器の前記特有の幅寸のｎ倍より狭い、請求項１７に記載の運搬用パッケージ。
【請求項２１】
前記ボトムパネルは、前記運搬用パッケージの前記第１の端部を横断する寸法の幅を有し、前記ボトムパネルの前記幅は、前記容器の前記特有の幅寸のｎ倍より狭い、請求項２０に記載の運搬用パッケージ。
【請求項２２】
前記運搬用パッケージの前記第１の端部は、第１のボトム終端フラップにより、少なくとも部分的に閉口する、請求項２０に記載の運搬用パッケージ。
【請求項２３】
前記第１のサイドパネルに折り曲げ可能に接合する第１のウェブ部および前記第２のサイドパネルに折り曲げ可能に接合する第２のウェブ部により、前記運搬用パッケージの前記第１の端部は少なくとも部分的に閉口する、請求項２２に記載の運搬用パッケージ。
【請求項２４】
前記第１のウェブ部は、
前記第１のサイドパネルに折り曲げ可能に接合する第１の近位ウェブパネルと、
前記第１の近位ウェブパネルに折り曲げ可能に接合する第１の遠位ウェブパネルと、を含み、前記第１の遠位ウェブパネルは、前記第１のボトム終端フラップに接着される、請求項２３に記載の運搬用パッケージ。
【請求項２５】
前記容器は略円筒形である、請求項２４に記載の運搬用パッケージ。
【請求項２６】
前記容器の上部位は、前記容器の上部に向かい直径が縮小する、請求項２５に記載の運搬用パッケージ。
【請求項２７】
ボトムパネルと、
トップパネルと、
第１のサイドパネルであって、少なくとも１つの第１の上部横断破壊線によって部分的に画定される第１の上部部分と、少なくとも１つの第１の下部横断破壊線によって部分的に画定される第１の下部部分と、を含む、第１のサイドパネルと、
第２のサイドパネルと、を含む、運搬用パッケージブランク。
【請求項２８】
前記第２のサイドパネルは、少なくとも１つの第２の上部横断破壊線によって部分的に画定される第２の上部部分と、少なくとも１つの第２の下部横断破壊線によって部分的に画定される第２の下部部分と、を含む、請求項２７に記載のブランク。
【請求項２９】
前記第１のサイドパネルの第１の端部に折り曲げ可能に接合される少なくとも１つの第１のウェブ部と、前記ボトムパネルの第１の端部に長手折線に沿って折り曲げ可能に接合する第１のボトムエンドパネルをさらに含み、前記少なくとも１つの第１のウェブ部は、前記第１のサイドパネルに斜折線に沿って折り曲げ可能に接合され、前記第１の上部部分の幅は、前記第１の下部部分の幅よりも広い、請求項２８に記載のブランク。
【請求項３０】
前記第１の上部部分は前記トップパネルに折り曲げ可能に接合し、前記第１の下部部分は前記ボトムパネルに折り曲げ可能に接合される、請求項２９に記載のブランク。